(57)【特許請求の範囲】
【請求項１】
燃料電池と二次電池とを備えた燃料電池車両であって、
前記燃料電池及び二次電池からの電力の供給を受けて、前記燃料電池車両に推進力を与える駆動モータと、
前記燃料電池を暖機するための暖機用ヒータと、
制御部と、
をさらに備え、
前記制御部は、前記暖機用ヒータに対する運転要求を受けた場合に、前記燃料電池における発電電力を増加させ、増加により得られた電力を前記二次電池に充電させると共に、増加により得られた前記電力が、前記暖機用ヒータの予想消費電力を上回った場合に、前記燃料電池から電力を前記暖機用ヒータに供給させることを特徴とする燃料電池車両。
【請求項２】
請求項１に記載の燃料電池車両において、
前記制御部は、前記二次電池への充電電力を監視して、その充電電力が前記暖機用ヒータの予想消費電力を上回った場合に、前記燃料電池から電力を前記暖機用ヒータに供給させることを特徴とする燃料電池車両。
【請求項３】
請求項１または請求項２に記載の燃料電池車両において、
前記制御部は、前記暖機用ヒータに対する運転要求を受けた場合に、前記燃料電池の温度に基づいて前記燃料電池の最大出力を導き出し、導き出した前記燃料電池の最大出力に基づいて、前記燃料電池から前記暖機用ヒータへ供給することが可能な電力を求め、求めた前記供給可能電力が前記暖機用ヒータの予想消費電力を上回っている場合に、前記燃料電池における発電電力を増加させ、増加により得られた電力を前記二次電池に充電させることを特徴とする燃料電池車両。
【請求項４】
請求項３に記載の燃料電池車両において、
前記制御部は、前記燃料電池の温度を、前記燃料電池の電流−電圧特性に基づいて推定することを特徴とする燃料電池車両。
【請求項５】
請求項３に記載の燃料電池車両において、
前記制御部は、前記燃料電池の温度を、前記燃料電池の交流インピーダンスに基づいて推定することを特徴とする燃料電池車両。
【請求項６】
燃料電池と、二次電池と、前記燃料電池及び二次電池からの電力の供給を受けて、前記燃料電池車両に推進力を与える駆動モータと、前記燃料電池を暖機するための暖機用ヒータと、を備えた燃料電池車両において、前記暖機用ヒータを運転するための暖機用ヒータ運転方法であって、
（ａ）前記暖機用ヒータに対する運転要求があった場合に、前記燃料電池における発電電力を増加させ、増加により得られた電力を前記二次電池に充電させる工程と、
（ｂ）増加により得られた前記電力が、前記暖機用ヒータの予想消費電力を上回ったか否かを判定する工程と、
（ｃ）前記工程（ｂ）において上回ったと判定された場合に、前記燃料電池から電力を前記暖機用ヒータに供給させる工程と、
を備える暖機用ヒータ運転方法。
【発明の詳細な説明】
【技術分野】
【０００１】
本発明は、燃料電池及び二次電池を搭載した燃料電池車両に関するものである。
【背景技術】
【０００２】
燃料電池及び二次バッテリを搭載した燃料電池車両においては、燃料電池は、二次バッテリと並列に接続されており、この二次バッテリと共に、車両の動力源であるトラクションモータに対し電力を供給をしている。すなわち、トラクションモータに供給される電力は、通常、燃料電池から出力された電力によって賄われるが、動力の増加要求が出されて、燃料電池から出力された電力だけでは足りない場合は、二次バッテリから出力される電力によって不足分を補うようしている。
【０００３】
また、このような燃料電池車両においては、暖機用ヒータが搭載される場合がある。かかる暖機用ヒータは、燃料電池の温度が低温である場合に、燃料電池に供給される冷却水を加熱して、燃料電池の暖機を行う。このような暖機用ヒータは、リレースイッチを介して、上記のごとく互いに並列に接続された燃料電池及び二次バッテリに接続されている。低温時において、暖機要求に基づきリレースイッチがオンされると、燃料電池の発電電力が増加するまでの間は、二次バッテリから暖機用ヒータに電力が供給されることになる。通常、燃料電池では、発電電力を増加させる際、燃料ガス（例えば、水素）の供給量や酸化ガス（例えば、エア）の供給量を増加させて、発電電力を増やそうとするが、エアコンプレッサなどの動作遅れに起因して、応答性が悪いため、要求される発電電力まで増加するのに時間を要する。
【０００４】
なお、このような、燃料電池から外部負荷に対して電力を供給するシステムとして、例えば、下記の特許文献１に記載の技術が知られている。
【０００５】
【特許文献１】特開２００２−９３４４４号公報
【発明の開示】
【発明が解決しようとする課題】
【０００６】
しかしながら、このような燃料電池車両においては、暖機用ヒータによる電力消費に起因して、以下のような問題があった。
【０００７】
例えば、車両停止時において、燃料電池の温度が低温である場合、暖機要求に基づき、リレースイッチがオンされると、すぐさま、二次バッテリから暖機用ヒータに電力が供給され、暖機用ヒータでは、一定の電力消費が開始される。その後、車両が停止状態から発進し、さらに、運転者がアクセル操作を行って加速を要求すると、通常、トラクションモータには、燃料電池の発電電力が増加するまで、二次バッテリから電力が供給されることになる。しかしながら、今回の場合、既に、二次バッテリから暖機用ヒータに対し電力が供給され、暖機用ヒータにおいて一定の電力消費がなされているため、二次バッテリは、トラクションモータに対して、十分な電力を供給することができない。この結果、運転者がアクセル操作を行って加速を要求したにも関わらず、電力の不足により、トラクションモータの動力が増加されず、車両が加速されないため、ドライバビリティが悪化するという問題があった。
【０００８】
従って、本発明の目的は、上記した従来技術の問題点を解決し、燃料電池車両において、暖機用ヒータによる電力消費に起因したドライバビリティの悪化を防ぐことができる技術を提供することにある。
【課題を解決するための手段】
【０００９】
上記した目的の少なくとも一部を達成するために、本発明の燃料電池車両は、燃料電池と二次電池とを備えた燃料電池車両であって、
前記燃料電池及び二次電池からの電力の供給を受けて、前記燃料電池車両に推進力を与える駆動モータと、
前記燃料電池を暖機するための暖機用ヒータと、
制御部と、
をさらに備え、
前記制御部は、前記暖機用ヒータに対する運転要求を受けた場合に、前記燃料電池における発電電力を増加させ、増加により得られた電力を前記二次電池に充電させると共に、増加により得られた前記電力が、前記暖機用ヒータの予想消費電力を上回った場合に、前記燃料電池から電力を前記暖機用ヒータに供給させることを要旨とする。
【００１０】
このように、本発明の燃料電池車両では、制御部が、暖機用ヒータに対する運転要求を受けても、直ちに、暖機用ヒータへ電力供給を開始するのではなく、燃料電池における発電電力を増加させ、増加により得られる電力が暖機用ヒータの予想消費電力を上回るまで待機し、その後、上回った場合に、燃料電池から暖機用ヒータへの電力供給を開始するようにしている。従って、例えば、暖機用ヒータに対する運転要求の前または後において、運転者がアクセル操作を行って加速を要求したとしても、燃料電池において、増加により得られる電力が十分でない間は、暖機用ヒータへの電力供給がなされないため、駆動モータには、二次電池から十分な電力が供給されることになる。この結果、加速要求がなされた後、直ちに、駆動モータの動力が増加し、車両が加速されることになるため、ドライバビリティが悪化することがない。
【００１１】
従って、本発明の燃料電池車両によれば、暖機用ヒータによる電力消費に起因したドライバビリティの悪化を防ぐことができる。
【００１２】
本発明の燃料電池車両において、前記制御部は、前記二次電池への充電電力を監視して、その充電電力が前記暖機用ヒータの消費電力を上回った場合に、前記燃料電池から電力を前記暖機用ヒータに供給させることが好ましい。
【００１３】
このように、二次電池への充電電力を監視して、その充電電力が暖機用ヒータの消費電力を上回った否かを判定することにより、燃料電池において、増加により得られた電力が、暖機用ヒータの予想消費電力を上回るようになったタイミングを正確に捉えることができる。
【００１４】
本発明の燃料電池車両において、前記制御部は、前記暖機用ヒータに対する運転要求を受けた場合に、前記燃料電池の温度に基づいて前記燃料電池の最大出力を導き出し、導き出した前記最大出力に基づいて、前記燃料電池から前記暖機用ヒータへ供給することが可能な電力を求め、求めた前記供給可能電力が前記暖機用ヒータの予想消費電力を上回っている場合に、前記燃料電池における発電電力を増加させ、増加により得られた電力を前記二次電池に充電させることが好ましい。
【００１５】
このように、燃料電池の最大出力に基づいて供給可能電力を求め、その供給可能電力が暖機用ヒータの予想消費電力を上回っているか否かを判定することにより、燃料電池の動作状態によって、燃料電池が最大出力で発電を行っても、暖機用ヒータの消費電力を賄うことができない場合を排除することができる。
【００１６】
本発明の燃料電池車両において、前記制御部は、前記燃料電池の温度を、前記燃料電池の電流−電圧特性に基づいて推定するようにしてもよい。
燃料電池の電流−電圧特性には、温度依存性があるため、これを利用することにより、燃料電池の温度を推定することができる。
【００１７】
本発明の燃料電池車両において、前記制御部は、前記燃料電池の温度を、前記燃料電池の交流インピーダンスに基づいて推定するようにしてもよい。
燃料電池の交流インピーダンスには、温度依存性があるため、これを利用することにより、燃料電池の温度を推定することができる。
【００１８】
なお、本発明は、上記した燃料電池車両などの装置発明の態様に限ることなく、燃料電池車両における暖機用ヒータの運転方法などの方法発明としての態様で実現することも可能である。
【発明を実施するための最良の形態】
【００１９】
以下、本発明の実施の形態を実施例に基づいて以下の順序で説明する。
Ａ．実施例の構成：
Ｂ．実施例の動作：
Ｃ．実施例の効果：
Ｄ．変形例：
【００２０】
Ａ．実施例の構成：
図１は本発明の一実施例としての燃料電池車両に搭載される主要構成要素を示すブロック図である。図１に示す車両１００は、主として、燃料電池１０２と、二次バッテリ１０４と、トラクションモータ１１８と、暖機用ヒータ１２４と、制御部１２８と、を搭載している。
【００２１】
このうち、二次バッテリ１０４は、コンバータ１０８を介して、燃料電池１０２と並列に接続されている。燃料電池１０２には、電流／電圧センサ１２６が、二次バッテリ１０４にも電流／電圧センサ１０６が、それぞれ接続されている。一方、トラクションモータ１１８，エアコンプレッサ１２０，水素ポンプ１２２は、それぞれ、インバータ１１０，１１２，１１４を介して、互いに並列に接続されており、さらに、暖機用ヒータ１２４が、リレースイッチ１１６を介して、それらに並列に接続されている。燃料電池１０２，二次バッテリ１０４と、トラクションモータ１１８，エアコンプレッサ１２０，水素ポンプ１２２，暖機用ヒータ１２４と、は直列に接続されている。
【００２２】
なお、図１において、各構成要素の配置は、図を見やすくするために、車両１００内における実際の配置場所とは無関係な配置となっている。
【００２３】
燃料電池１０２は、水素と酸素の電気化学反応によって発電する。燃料電池１０２としては、種々のタイプを適用可能であるが、本実施例では、固体高分子型を用いている。燃料電池１０２の水素極（図示せず）には、燃料ガスとしての水素が、車両内に設置された水素タンク（図示せず）から水素供給流路（図示せず）を介して供給される。燃料電池１０２から排出された水素オフガス（図示せず）は、水素ポンプ１２２の駆動により、水槽循環流路（図示せず）を介して水素供給流路に戻され、水素の循環に供される。また、燃料電池１０２の酸素極（図示せず）には、酸化ガスとしてのエアが、エアコンプレッサ１２０の駆動によって外部から取り入れられて、エア供給流路（図示せず）を介して供給される。
【００２４】
一方、二次バッテリ１０４は、コンバータ１０８によって、燃料電池１０２で発電された電力やトラクションモータ１１８で回生された電力を充電したり、充電された電力を放電したりする。
【００２５】
燃料電池１０２で発電された電力や二次バッテリ１０４から放電された電力は、インバータ１１０，１１２，１１４によって、トラクションモータ１１８，エアコンプレッサ１２０，水素ポンプ１２２に供給され、それらの駆動に用いられる。トラクションモータ１１８は、その回転軸（図示せず）がギヤ，シャフトなど（図示せず）を介して車輪（図示せず）に結合されており、トラクションモータ１１８の駆動によって、車両１００に推進力を与える。
【００２６】
また、燃料電池１０２，二次バッテリ１０４からの電力は、リレースイッチ１１６がオンすることにより、暖機用ヒータ１２４にも供給されて、その駆動に供される。暖機用ヒータ１２４は、燃料電池１０２の近傍に配置されており、暖機用ヒータ１２４の駆動によって燃料電池１０２の暖機を行う。
電流／電圧センサ１０６は、二次バッテリ１０４の、電流／電圧センサ１２６は、燃料電池１０２の、それぞれ、電流及び電圧を測定する。
【００２７】
制御部１２８は、電流／電圧センサ１０６，１２６からの測定値などを取得し、種々の処理を行い、燃料電池１０２、コンバータ１０８、インバータ１１０，１１２，１１４及びリレースイッチ１１６などの制御を行う。
【００２８】
Ｂ．実施例の動作：
図２及び図３は図１の制御部１２８による暖機用ヒータ１２４の運転処理ルーチンを示すフローチャートである。運転者が車両１００の運転開始を指示すると、制御部１２８は、燃料電池１０２等を起動する。その後、図２及び図３に示す処理ルーチンが開始され、制御部１２８は、暖機用ヒータ１２４に対する運転要求を受けるまで待機する（ステップＳ１０２）。燃料電池１０２の温度が低温であって、制御部１２８が、暖機用ヒータ１２４に対する運転要求を受けると、制御部１２８は、電流／電圧センサ１２６から、燃料電池１０２の電流，電圧の測定値を取得する（ステップＳ１０４）。
【００２９】
制御部１２８は、予めメモリ（図示せず）に格納されている、暖機用ヒータ１２４の抵抗値の情報に基づき、取得した燃料電池１０２の電圧の測定値から、暖機用ヒータ１２４の予想消費電力を算出する（ステップＳ１０６）。
【００３０】
また、制御部１２８は、取得した燃料電池１０２の電流，電圧の測定値から、その時点での燃料電池１０２の温度を推定する（ステップＳ１０８）。ここで、電流，電圧の測定値から温度を推定する方法について、図４及び図５を用いて説明する。
【００３１】
一般に、燃料電池の内部で発生する損失としては、活性化分極、抵抗分極、拡散分極が挙げられる。このうち、触媒活性に起因する活性化分極と、プロトン導電性に起因する抵抗分極（内部抵抗）については、温度依存性があり、両者とも、温度上昇に伴って小さくなる。
【００３２】
図４は燃料電池において標準起電力に対する各損失の寄与分を示す説明図である。図４において、縦軸は電圧を、横軸は電流をそれぞれ示している。燃料電池では、図４に示すように、標準起電力に対して、活性化分極と内部抵抗の寄与分だけ、発電の効率は落ちるが、温度が上昇すれば、これら損失は小さくなるため、発電の効率は改善する。
【００３３】
図５は燃料電池における電流−電圧特性の温度に対する変化を示す説明図である。図５において、縦軸は電圧を、横軸は電流をそれぞれ示している。図５に示すように、低温状態では、上記した活性化分極と内部抵抗の寄与分に起因して発電の効率が悪く、電流−電圧特性は斜めに傾斜した状態となっているが、高温状態になると、発電の効率が改善され、電流−電圧特性は横軸に平行な状態に近づく。従って、このような電流−電圧特性の温度に対する変化を利用すれば、燃料電池の温度を容易に推定することができる。
【００３４】
具体的には、各温度ごとの電流−電圧特性のマップを予めメモり（図示せず）に用意しておき、制御部１２８が、これらマップを参照して、取得した燃料電池の電流，電圧の測定値に基づき、何れの電流−電圧特性に近いかを求めて、燃料電池の温度を推定するのである。
【００３５】
さて、図２に戻って、次に、制御部１２８は、推定した燃料電池１０２の温度や、別途燃料電池１０２から取得した燃料電池１０２の状態（湿潤状態等）などに基づいて、その時点での燃料電池１０２の最大出力を導き出す（ステップＳ１１０）。そして、制御部１２８は、その時点でインバータ１１０，１１２，１１４に与えている、トラクションモータ１１８，エアコンプレッサ１２０，水素ポンプ１２２に対する電力指令値から、トラクションモータ１１８等に対する供給電力を算出し（ステップＳ１１２）、導き出した燃料電池１０２の最大出力から、算出したトラクションモータ１１８等に対する供給電力を減算することにより、燃料電池１０２から新たな負荷である暖機用ヒータ１２４へ供給することが可能な電力を求める（ステップＳ１１４）。そして、制御部１２８は、算出した供給可能電力と、ステップＳ１０６で算出した暖機用ヒータ１２４の予想消費電力と、を比較し、前者が後者を上回っているか否かを判定する（ステップＳ１１６）。
【００３６】
判定の結果、燃料電池１０２から暖機用ヒータ１２４への供給可能電力が、暖機用ヒータ１２４の予想消費電力を上回っている場合には、図３のＺに処理を進める。逆に、上回っていない場合には、その時点で、燃料電池１０２が例え、最大出力で発電を行ったとしても、暖機用ヒータ１２４の消費電力を賄うことができないため、処理をリターンする。
【００３７】
図３のＺに処理が進むと、次に、制御部１２８は、燃料電池１０２の発電電力が増加するよう制御する（ステップＳ２０２）。具体的には、制御部１２８は、燃料電池１０２に対する水素やエアの供給量を上げるよう、インバータ１１２，１１４や、供給流路に設けられたバルブ（図示せず）などを制御する。これにより、燃料電池１０２の発電電力は徐々に増加する。また、制御部１２８は、こうして燃料電池１０２の発電電力を増加することにより得られた電力を、二次バッテリ１０４に充電させるよう、コンバータ１０８を制御する（ステップＳ２０４）。この結果、燃料電池１０２において発電電力の増加により得られた電力は、コンバータ１０８を介して、二次バッテリ１０４に充電される。
【００３８】
次に、制御部１２８は、電流／電圧センサ１０６から、二次バッテリ１０４の電流，電圧の測定値を取得し（ステップＳ２０６）、それら測定値から、その時点において二次バッテリ１０４に充電される電力を算出する（ステップＳ２０８）。そして、制御部１２８は、その二次バッテリ１０４への充電電力が、ステップＳ１０６で算出した暖機用ヒータ１２４の予想消費電力を上回ったか否かを判定する（ステップＳ２１０）。
【００３９】
判定の結果、上回っていない場合には、再度、ステップＳ２０２に戻って同様の処理を繰り返す。すなわち、制御部１２８は、燃料電池１０２の発電電力を増加させながら、二次バッテリ１０４の電流，電圧の測定値に基づいて、二次バッテリ１０４への充電電力を監視する。
【００４０】
逆に、二次バッテリ１０４への充電電力が暖機用ヒータ１２４の予想消費電力を上回っている場合には、燃料電池１０２において、暖機用ヒータ１２４の消費電力を賄うのに十分な発電電力を得ることができたとして、二次バッテリ１０４への充電を停止するよう、コンバータ１０８を制御する（ステップＳ２１２）と共に、リレースイッチ１１６をオンして、燃料電池１０２で発電された電力をリレースイッチ１１６を介して暖機用ヒータ１２４に供給する。これにより、暖機用ヒータ１２４が駆動して、燃料電池１０２の暖機を開始する。その後、この一連の処理をリターンする。
【００４１】
Ｃ．実施例の効果：
以上説明したように、本実施例では、制御部１２８は、暖機用ヒータ１２４に対する運転要求を受けても、直ちにリレースイッチ１１６をオンして、暖機用ヒータ１２４へ電力を供給するのではなく、燃料電池１０２において、暖機用ヒータ１２４の消費電力を賄うのに十分な発電電力を得ることができるまで待機し、その発電電力を得ることができるようになってから、リレースイッチ１１６をオンして、暖機用ヒータ１２４へ電力を供給するようにしている。従って、例えば、暖機用ヒータ１２４に対する運転要求の前または後において、運転者がアクセル操作を行って加速を要求したとしても、燃料電池１０２の発電電力が十分でない間は、暖機用ヒータ１２４への電力供給がなされないため、トラクションモータ１１８には、二次バッテリ１０４から十分な電力が供給されることになる。よって、運転者がアクセル操作を行って加速を要求すると、直ちに、トラクションモータ１１８の動力が増加し、車両１００が加速されるため、ドライバビリティが向上するという効果を奏する。
【００４２】
また、本実施例では、燃料電池１０２において、暖機用ヒータ１２４の消費電力を賄うのに十分な発電電力を得ることができるようになるまでの間、その発電電力の増加によりその間に得られる余剰電力を捨てることなく、全て、二次バッテリ１０４に充電しているため、発電した電力が無駄になることはない。
【００４３】
さらに、本実施例では、二次バッテリ１０４に充電される電力を監視して、その充電電力が暖機用ヒータ１２４の消費電力を上回った場合に、リレースイッチ１１６をオンして、暖機用ヒータ１２４への電力を供給するようにしている。このように、二次バッテリ１０４への充電電力を監視することにより、燃料電池１０２において、暖機用ヒータ１２４の消費電力を賄うのに十分な発電電力を得ることができるようになったタイミングを正確に捉えることができる。従って、リレースイッチ１１６をオンして、暖機用ヒータ１２４への電力供給を開始した場合に、暖機用ヒータ１２４での電力消費に、二次バッテリ１０４に充電されている電力が用いられることなく、暖機用ヒータ１２４での消費電力は燃料電池１０２で発電された電力によって賄われることになる。
【００４４】
Ｄ．変形例：
なお、本発明は上記した実施例や実施形態に限られるものではなく、その要旨を逸脱しない範囲において種々の態様にて実施することが可能である。
Ｄ−１．変形例１：
上記した実施例においては、燃料電池１０２の温度は、燃料電池１０２の電流，電圧の測定値から、燃料電池１０２の温度を推定していたが、本発明はこれに限定されるものではなく、例えば、燃料電池１０２の交流インピーダンスの測定値から、燃料電池１０２の温度を推定するようにしてもよい。
【００４５】
一般に、燃料電池の交流インピーダンスに含まれる情報としては、主として、活性化分極、内部抵抗、パルク抵抗がある。それらのうち、活性化分極及び内部抵抗については、前述したとおり温度依存性があるため、交流インピーダンスの測定値から、燃料電池の温度を推定することができる。
【００４６】
燃料電池のコール・コールプロットで交流インピーダンスの温度依存性を示すと、図６に示すごとくになる。図６において、縦軸は交流インピーダンス測定値の虚部を示し、横軸はその実部を示す。前述したとおり、活性化分極及び内部抵抗は、温度上昇に伴って小さくなるため、交流インピーダンスの測定値も、温度上昇に伴って小さくなり、図６に示すように、プロットされた半円も小さくなる。
従って、或る周波数での交流インピーダンス測定値の実部の値に着目し、その値の変化から燃料電池の温度を推定することができる。
【００４７】
Ｄ−２．変形例２：
上記した実施例では、二次バッテリ１０４に充電される電力を監視して、その充電電力が暖機用ヒータ１２４の消費電力を上回った場合に、リレースイッチ１１６をオンして、暖機用ヒータ１２４への電力供給を開始するようにしていたが、本発明はこれに限定されるものではなく、以下のようにして、暖機用ヒータ１２４への電力供給を開始するようにしてもよい。
【００４８】
一般に、燃料電池における発電電力の増加遅れは、前述したとおり、エアコンプレッサなどの動作遅れに起因している。そこで、図３のＺに処理が進んだ際に、まず、制御部１２８は、燃料電池１０２において、暖機用ヒータ１２４の消費電力を賄うのに十分な発電電力を得るのに必要なエア流量（以下、必要エア流量という）を求める。次に、制御部１２８は、燃料電池１０２の発電電力が増加するよう制御する。具体的には、例えば、制御部１２８は、インバータ１１２を制御して、エアコンプレッサ１２０の回転数を上げてゆき、燃料電池１０２へ供給されるエア供給量を増加させる。また、制御部１２８は、燃料電池１０２の発電電力を増加することにより得られた電力を、二次バッテリ１０４に充電させるよう、コンバータ１０８を制御する。
【００４９】
続いて、制御部１２８は、エアコンプレッサ１２０から、その回転数を取得し、その値から、燃料電池１０２に供給されるエア流量を算出する。制御部１２８は、算出したエア流量が、先に求めた必要エア流量を上回ったか否かを判定し、上回っている場合には、二次バッテリ１０４への充電を停止するよう、コンバータ１０８を制御すると共に、リレースイッチ１１６をオンして、燃料電池１０２で発電された電力をリレースイッチ１１６を介して暖機用ヒータ１２４に供給するようにする。
【００５０】
なお、エアコンプレッサ１２０の回転数から、燃料電池１０２へ供給されるエア流量を求める代わりに、エア供給流路中にエアフロメータを設けて、燃料電池１０２へ供給されるエア流量を直接測定するようにしてもよい。
【００５１】
また、燃料電池１０２へ供給される水素流量を直接または間接的に測定できるのであれば、エア流量に代えて、水素流量に基づいて、暖機用ヒータ１２４への電力供給開始タイミングを得るようにしてもよい。
【図面の簡単な説明】
【００５２】
【図１】本発明の一実施例としての燃料電池車両に搭載される主要構成要素を示すブロック図である。
【図２】図１の制御部１２８による暖機用ヒータ１２４の運転処理ルーチンを示すフローチャートである。
【図３】図１の制御部１２８による暖機用ヒータ１２４の駆動処理ルーチンを示すフローチャートである。
【図４】燃料電池において標準起電力に対する各損失の寄与分を示す説明図である。
【図５】燃料電池における電流−電圧特性の温度に対する変化を示す説明図である。
【図６】燃料電池のコール・コールプロットで交流インピーダンスの温度依存性を示す説明図である。
【符号の説明】
【００５３】
１００...燃料電池車両
１０２...燃料電池
１０４...二次バッテリ
１０６，１２６...電流／電圧センサ
１０８...コンバータ
１１０，１１２，１１４...インバータ
１１６...リレースイッチ
１１８...トラクションモータ
１２０...エアコンプレッサ
１２２...水素ポンプ
１２４...暖機用ヒータ
１２８...制御部
【図１】
0004725239.tif 000002
【図２】
0004725239.tif 000003
【図３】
0004725239.tif 000004
【図４】
0004725239.tif 000005
【図５】
0004725239.tif 000006
【図６】
0004725239.tif 000007